(57)【特許請求の範囲】
【請求項１】
少なくとも１本のワイヤ（１３）の周りに縛り付けたタイラップ（１２）を切断するために使用される工具（１０，９８，１４８，１５０，１６８）であって：
第１面部（４０）及び第２面部（４２）を有するハウジング（２８）であって、前記第１面部（４０）及び前記第２面部（４２）が互いに接続されて空洞（５４）を画定し、前記ハウジング（２８）が更に、前記第１面部（４０）及び前記第２面部（４２）に形成される溝（５８）を含み、前記溝（５８）が前記空洞（５４）と流体連通する、前記ハウジング（２８）と、
前記第１面部（４０）に接続され、かつ前記空洞（５４）の内部に配置されるブレード（３２）であって、前記ブレード（３２）が、前記溝（５８）の内部に部分的に延びる切断面（８４）を含む、前記ブレード（３２）と、
前記ハウジング（２８）に接続されるスペーサ（３４）であって、前記スペーサ（３４）が、第１部分（８８）と第２部分（９０）を含み、前記溝（５８）が、前記第１部分（８８）と前記第２部分（９０）の間に位置し、該スペーサ（３４）が、前記ハウジング（２８）を前記タイラップ（１２）に押し当てるときに、前記第１部分（８８）と前記第２部分（９０）の端部（９４）を前記少なくとも１本のワイヤ（１３）に接触させることにより前記少なくとも１本のワイヤ（１３）を移動させ、そして前記少なくとも１本のワイヤ（１３）を前記切断面（８４）から或る距離を置いて保持するように構成される、前記スペーサ（３４）と、を備える、工具（１０，９８，１４８，１５０，１６８）。
【請求項２】
更に、前記ハウジング（２８）に接続され、かつ前記溝（５８）から軸線方向外側に延びる、前記ブレード（３２）を前記タイラップ（１２）に位置合わせする位置合わせガイド（３０）を備える、請求項１に記載の工具（１０，９８，１４８，１５０，１６８）。
【請求項３】
更に、前記ハウジング（２８）に、かつ前記空洞（５４）の内部に接続される、前記ブレード（３２）を前記タイラップ（１２）に位置合わせする位置合わせガイド（３０）を備える、請求項１又は２に記載の工具（１０，９８，１４８，１５０，１６８）。
【請求項４】
更に、前記ハウジング（２８）に接続されるハンドル（１２４，１３０）を備える、請求項１乃至３のいずれか一項に記載の工具（１０，９８，１４８，１５０，１６８）。
【請求項５】
前記ハンドル（１２４，１３０）は、伸縮性ストラップ （１３０）を備える、請求項４に記載の工具（１０，９８，１４８，１５０，１６８）。
【請求項６】
更に、前記ハウジング（２８）に取り外し可能に接続されるハンドル（１４６）を備える、請求項１に記載の工具（１０，９８，１４８，１５０，１６８）。
【請求項７】
前記溝は、第１溝（１７０）及び第２溝（１７２）を含み、そして前記切断面（８４）は、前記第１溝（１７０）の内部に、かつ前記第２溝（１７２）の内部に部分的に延びる、請求項１乃至６のいずれか一項に記載の工具（１６８）。
【請求項８】
前記第１溝（１７０）は第１長さを有し、そして前記第２溝（１７２）は第２長さを有し、そして前記第１長さは前記第２長さよりも長い、請求項７に記載の工具（１０，９８，１４８，１５０，１６８）。
【請求項９】
前記スペーサ（３４）は前記ハウジング（２８）に接続され、そして前記ハウジング（２８）から半径方向外側に延びる、請求項１乃至８のいずれか一項に記載の工具（１０，９８，１４８，１５０，１６８）。
【請求項１０】
前記スペーサ（３４）は楔形に形成される、請求項１乃至８のいずれか一項に記載の工具（１０，９８，１４８，１５０，１６８）。
【請求項１１】
少なくとも１本のワイヤ（１３）の周りに縛り付けたタイラップ（１２）を切断する切断工具（１０，９８，１４８，１５０，１６８）を操作する方法であって、該方法は：
前記工具（１０，９８，１４８，１５０，１６８）のハウジング（２８）を前記タイラップ（１２）に押し当てるステップと、
前記タイラップ（１２）の一構成部分を前記ハウジング（２８）の溝（５８）の内部に配置するステップと、
前記工具（１０、９８、１４８、１５０、１６８）のスペーサ（３４）の第１部分（８８）と第２部分（９０）の端部（９４）を前記少なくとも１本のワイヤ（１３）に接触させることにより前記少なくとも１本のワイヤ（１３）を移動させ、そして前記少なくとも１本のワイヤ（１３）を前記タイラップ（１２）から或る距離を置いて保持するステップであって、前記溝（５８）が、前記第１部分（８８）と前記第２部分（９０）の間に位置する、ステップと、
前記工具（１０，９８，１４８，１５０，１６８）のブレード（３２）を移動させて、前記溝（５８）の内部に配置される前記タイラップ（１２）の前記一構成部分に押し当てるステップと、
前記タイラップ（１２）を前記ブレード（３２）で少なくとも部分的に切断するステップと、を含む、方法。
【請求項１２】
更に、前記タイラップ（１２）の内部への前記ブレード（３２）の切り込み深さを、前記タイラップ（１２）を前記ブレード（３２）で少なくとも部分的に切断しながら制御するステップを含む、請求項１１に記載の方法。
【請求項１３】
前記工具（１０，９８，１４８，１５０，１６８）の前記ブレード（３２）を移動させて、前記溝（５８）の内部に配置される前記タイラップ（１２）の前記一構成部分に押し当てるステップは、前記ブレード（３２）を前記タイラップ（１２）の前記一構成部分に押し当てて回転させるステップを含む、請求項１１又は１２に記載の方法。
【発明の詳細な説明】
【技術分野】
【０００１】
本開示は概して、切断工具に関するものであり、特にファスナーを切断する方法及びシステムに関するものである。
【背景技術】
【０００２】
“ｚｉｐ  ｔｉｅｓ（ジップタイ）”としても知られるタイラップのようなファスナーは、作業現場において多種多様な目的に広く使用されている。例えば、このようなタイラップは、電気ワイヤを束ねて固定するために広く使用されている。特に、電気ワイヤを引き回す際に、タイラップを使用して、ワイヤ束を縛り付けることが広く行なわれている。ワイヤ束を縛り付けると、同様のグループのワイヤ群をグループにまとめることにより、これらのワイヤの取り付けを容易にすることができる。更に、タイラップによって、ワイヤがもつれるのを防止し、そしてワイヤ管理をより良好に行なうことができる。
【０００３】
公知のタイラップはストラップを含み、このストラップには固定機構が一体化されている。タイラップの遠位端は、固定機構の開口部に挿通される。固定機構はタブを含み、このタブは、ストラップの長さに沿って離間する歯に噛合する。当該タブは、ストラップが固定機構内を引っ張られるときに、連続歯に噛合する。更に、当該タブは、ラチェットとして機能して、ストラップを取り付けた後にストラップが外れるのを効果的に防止する。
【０００４】
タイラップは、ワイヤ束を取り付けた後に、そして／または後の時点でメンテナンス作業を行なっているときに、外れる場合がある。通常、作業者は、従来のワイヤカッター、レイザーナイフ、または同様の切断工具を使用してタイラップを外す。タイラップを外しているとき、これらのワイヤのうちの１本のワイヤを被覆する絶縁体を切断工具で或る程度傷つける、または切断する可能性がある。損傷した絶縁体は修理する必要がある、または損傷した絶縁体によって、ワイヤ及び／又はワイヤ束を取り替える必要があり、この損傷によって費用が高く付く、そして／または長い時間を費やす障害または遅れが起こる。更に、幾つかの例では、従来の切断工具からブレードが剥き出しになって、軽い怪我を負う可能性があり、これには、注意が必要であり、かつこれによって更なる遅れを伴なう。
【発明の概要】
【０００５】
１つの態様では、少なくとも１本のワイヤの周りに縛り付けたタイラップを切断するために使用される工具が提供される。前記工具は、第１面部及び第２面部を有するハウジングを含み、前記第１面部及び前記第２面部は、互いに接続されて空洞を画定する。前記ハウジングは更に、前記第１面部及び前記第２面部に形成される溝を含み、前記溝は、前記空洞と流体連通する。ブレードは、前記第１面部に接続され、かつ前記空洞の内部に配置され、前記ブレードは、前記溝の内部に少なくとも部分的に延びる切断面を含む。前記工具は更に、前記ハウジングに接続されるスペーサを含み、該スペーサは、前記ハウジングを前記タイラップに押し当てるときに、前記少なくとも１本のワイヤを前記切断面から或る距離を置いて保持するように構成される。
【０００６】
別の態様では、少なくとも１本のワイヤの周りに縛り付けたタイラップを切断するために使用される工具が提供される。前記工具は、第１面部及び第２面部を有するハウジングを含み、前記第１面部及び第２面部は、互いに接続されて空洞を画定する。前記ハウジングは更に、前記第１面部及び前記第２面部に形成される第１溝及び第２溝を含み、前記溝は、前記空洞と流体連通する。ブレードは、前記第１面部に接続され、かつ前記空洞の内部に配置され、前記ブレードは、前記第１溝及び前記第２溝の内部に延びる切断面を含む。前記工具は更に、前記ハウジングに接続されるスペーサを含む。前記スペーサは、前記ハウジングを前記タイラップに押し当てるときに、前記少なくとも１本のワイヤを前記切断面から或る距離を置いて保持するように構成される。
【０００７】
更に別の態様では、少なくとも１本のワイヤの周りに縛り付けたタイラップを切断する切断工具を操作する方法が提供される。前記方法は、前記工具のハウジングを前記タイラップに押し当てる工程を含む。前記方法は更に、前記タイラップの一構成部分を前記ハウジングの溝の内部に配置する工程を含む。スペーサで、前記少なくとも１本のワイヤを移動させ、そして前記少なくとも１本のワイヤを前記タイラップから或る距離を置いて保持する。方法は更に、前記工具のブレードを移動させて、前記溝の内部に配置される前記タイラップの前記一構成部分に押し当てる工程を含む。前記方法は更に、前記タイラップを前記ブレードで少なくとも部分的に切断する工程を含む。
【０００８】
説明してきた特徴、機能、及び利点は、種々の実施形態において個別に実現することができる、または更に他の実施形態において組み合わせることができ、これらの実施形態の更なる詳細は、以下の記述及び図面を参照することにより理解することができる。
【図面の簡単な説明】
【０００９】
【図１】図１は、ファスナーを切断するために使用することができる例示的な切断工具の斜視図を示している。
【図２】図２は、図１に示す切断工具の分解後の斜視図を示している。
【図３】図３は、図２に示す切断工具の組み立て後の斜視図を示している。
【図４】図４は、図１に図示され、かつファスナーに当てた切断工具の側面図を示している。
【図５】図５は、図１に示すファスナーを切断するために使用することができる別の切断工具の斜視図を示している。
【図６】図６は、図１に示す切断工具に使用することができる別のハンドルの斜視図を示している。
【図７】図７は、図１に示す切断工具に使用することができる別のハンドルの斜視図を示している。
【図８】図８は、図１に示す切断工具に使用することができる開き位置にある別のハンドルの側面図を示している。
【図９】図９は、閉じ位置にある図８に示す別のハンドルの斜視図を示している。
【図１０】図１０は、分解状態の図８に示すハンドルの側面図を示している。
【図１１】図１１は、ファスナーを切断するために使用することができる別の例示的な切断工具の側面図を示している。
【図１２】図１２は、図８に示すハンドルに接続される図１１に示す切断工具の側面図を示している。
【図１３】図１３は、ファスナーを切断するために使用することができる図１２に示す切断工具及びハンドルの側面図を示している。
【図１４】図１４は、切断工具を操作する例示的な方法のフローチャートを示している。
【発明を実施するための形態】
【００１０】
種々の実施形態の特定の特徴が、他の図面ではなく、幾つかの図面に図示されているが、これは便宜上の理由に過ぎない。任意の図面の任意の特徴は、任意の他の図面の任意の特徴と組み合わせて参照する、そして／または特許請求することができる。
【００１１】
本明細書において記載される実施形態は、弾性部材切断プロセスに関するものである。一般的に、これらの実施形態は、ワイヤ束のような物体を含むファスナーを切断する切断工具に関するものである。切断工具を利用して、これらには限定されないが、ストリング、接着剤、ワイヤ、及びタイラップのような複数のファスナーを切断する。更に、切断工具を利用して、これらには限定されないが、工業環境、軍事環境、及び消費者環境のような多種多様な環境において使用されるファスナーを切断する。１つの用途では、本明細書において記載される切断工具を利用して、ワイヤ束の周りに配置されるタイラップを切断する。本明細書において記載される実施形態は、タイラップに限定されないことを理解されたく、そして更に、タイラップ及びワイヤを利用する説明及び図は例に過ぎないことを理解されたい。本発明は、公知のタイラップに適合するとともに、安全であり、人間が容易に操作することができ、そして切断対象のファスナーに含まれるワイヤに損傷を及ぼさない切断プロセスを提供する。
【００１２】
図１は、これらには限定されないが、少なくとも１本のワイヤ１３の周りに延びるタイラップ１２のようなファスナーに当てる切断工具１０を示している。例示的な実施形態では、タイラップ１２はストラップ１４を含み、ストラップ１４は、当該ストラップに一体的に形成され、かつストラップ１４の横方向軸線１８及び長手方向軸線２０に沿ってストラップ１４の側面１７と側面１９との間に延設される固定機構１６を有する。ストラップ１４は、上面２４と下面２６との間で定義される所定の厚さ２２を有する。タイラップ１２の遠位端（図示せず）は、固定機構１６に形成される開口部２７に挿通される。機構１６は、ストラップ１４の長さに沿って分散配置される歯（図示せず）と噛合するタブ（図示せず）を含む。タブは、ストラップ１４を引っ張り力で固定機構１６を介して引っ張ってワイヤ群１３を束ねるときに連続歯と噛合する。
【００１３】
図２は、切断工具１０の分解斜視図を示している。図３は、切断工具１０の組み立て後の斜視図を示している。例示的な実施形態では、工具１０は、タイラップ１２（図１に示す）を少なくとも部分的に切断して、タイラップ１２をワイヤ１３（図１に示す）から取り外し易くする。更に詳細には、当該工具の効果を最大限に容易に引き出すために、工具１０は、タイラップ１２を、ワイヤ１３に傷を付けることなく、かつユーザ（図示せず）に怪我を負わすことなく切断する。工具１０は、ハウジング２８と、位置合わせガイド３０と、ブレード３２と、スペーサ３４と、そしてハンドル３６と、を含む。例示的な実施形態では、工具１０は更に、ランヤードコネクタ３８を含む。
【００１４】
ハウジング２８はブレード３２を収容するとともに、ハンドル３６を位置決めして切断作業を可能にする。ハウジング２８は、第１面部４０及び第２面部４２を含む。第１面部４０は、内側部分４４及び外側部分４６を含み、そして第２面部４２は、内側部分４８及び外側部分５０を含む。第１面部４０及び第２面部４２はそれぞれ、第１面部４０及び第２面部４２を結合して合体させ易くするようなサイズ及び形状に形成されるフランジ５２を含む。図３に示すように、結合して合体させると、第１面部４０及び第２面部４２は、ブレード３２を少なくとも部分的に収容するサイズの内部空洞５４を画定する。
【００１５】
第１面部４０及び／又は第２面部４２のいずれか一方は、ブレードアクスル５６を含む。例示的な実施形態では、ブレードアクスル５６は内側部分４４に接続され、そして内側部分４４から外側に突出する。更に、例示的な実施形態では、ブレードアクスル５６は円形の形状に形成されて、ブレード３２への接続を容易にする。別の構成として、ブレードアクスル５６は、ブレード３２が本明細書に記載の通りに機能することができる任意の形状を有することができる。
【００１６】
例示的な実施形態では、ハウジング２８は、第１面部４０及び第２面部４２の内部に形成される少なくとも１つの溝５８を含む。タイラップストラップ１４に対する工具１０の位置決めを容易にするために、溝５８は、ハウジング２８をストラップ１４（図１に示す）の周りに位置合わせし、そして切断作業中のブレード３２の位置合わせ、及び深さの制御を容易にする。溝５８は、対向側壁群６０、及びこれらの側壁６０の間を延びる端部壁６２により画定される。溝５８の向き及びサイズは、内部空洞５４と流体連通するように設定される。１つの実施形態では、溝側壁６０は、複数の長さを有する。溝側壁６０の長さは、ハウジング２８をストラップ１４に本明細書に記載の通りに接続するときに、異なるストラップ厚さ２２（図１に示す）に対応することができるように可変に選択される。溝５８は、ハウジング２８を異なるサイズのストラップ１４の周りに収容するようなサイズ及び形状とすることができる。
【００１７】
位置合わせガイド３０は、ハウジング２８に接続され、そして溝５８から外側に突出して、ブレード３２をタイラップ１２（図１に示す）に切断プロセス中に位置合わせすることができる。例示的な実施形態では、位置合わせガイド３０は、第１ガイド部材６６及び第２ガイド部材６８を含む。第１ガイド部材６６は第１面部４０に接続され、そして第１面部４０から横方向外側に延びる。例示的な実施形態では、第１ガイド部材６６は、ハウジング２８に接続される端部７０と、そしてハウジング２８から距離を置いて位置する反対側端部７２と、を含む。側面７４は端部７０と端部７２との間を延在し、側面７４はストラップ１４（図１に示す）に接続されるサイズ及び形状に形成される。
【００１８】
第２ガイド部材６８は、第２面部４２に接続され、そして第２面部４２から横方向外側に延びる。例示的な実施形態では、第２ガイド部材６８は、ハウジング２８に接続される端部７６と、そしてハウジング２８から距離を置いて位置する反対側端部７８と、を含む。第２ガイド部材６８は、側面７４は端部７６と端部７８との間を延在する側面８０を有し、側面８０はストラップ１４（図１に示す）に接続されるサイズ及び形状に形成される。
【００１９】
ブレード３２は、ブレードアクスル５６に接続され、そして空洞５４内に配置されて、タイラップ１２（図１に示す）の少なくとも一部を本明細書に記載の通りに少なくとも部分的に切断することができる。ブレード３２は、内側取り付け面８２及び外側切断面８４を含む。内側取り付け面８２は、ブレードアクスル５６に接続される。１つの実施形態では、内側面８２は、ブレードアクスル５６に回転可能に接続される。ブレード３２は、ブレードアクスル５６に回転可能に接続され、切断面８４全体を切断プロセス中に回転しながら使用することができるようにすることにより、有効切断面８４を容易に長くして、ブレード寿命を延ばすことができる。図３に示すように、外側切断面８４の一部８６は、溝５８の内部に突出している。１つの例示的な実施形態では、ブレード３２は、約１０ｍｍ（４０インチ）〜約４０ｍｍ（１．６インチ）の直径を有する円形形状のブレードである。例示的な実施形態では、ブレード３２は、約２８ｍｍの直径を有する。別の例示的な実施形態では、ブレード３２は、約４０ｍｍの直径を有する。ブレード３２は、複数の異なるサイズのストラップ１４を少なくとも部分的に切断することができるサイズを有するように可変に選択される。工具１０を本明細書に記載の通りに機能させることができる任意のサイズのブレード３２を使用することができる。
【００２０】
スペーサ３４は、ハウジング２８に接続されて、ワイヤ１３（図１に示す）がブレード３２による損傷を受けないようにワイヤ１３を容易に保護する。例示的な実施形態では、スペーサ３４は、ハウジング２８から半径方向外側に延びる。更に詳細には、スペーサ３４は、切断作業中にブレード３２から距離を置いた状態でワイヤ１３に接触し、ワイヤ１３を移動させ、そして保持する。スペーサ３４は、第１スペーサ部分８８及び第２スペーサ部分９０を含み、この場合、ハウジング溝５８は、第１スペーサ部分８８と第２スペーサ部分９０との間に位置している。例示的な実施形態では、スペーサ３４は、ブレード切断面８４の露出部分８６を超えて延びるサイズに形成される。ブレード切断部分８６は、溝５８内に奥まって位置して、ワイヤ１３（図１に示す）に対する切断部分８６の露出を容易に制限するようになっている。本明細書に記載される切断プロセス中、スペーサ３４は、ワイヤ１３及びユーザを保護して、ワイヤ１３及びユーザが露出切断部分８６に触れることがないように構成される。
【００２１】
スペーサ３４は、ハウジング２８に接続される端部９２を含み、そして溝５８から半径方向に距離を置いて配置される端部９４を含む。例示的な実施形態では、スペーサ３４は楔形である。別の実施形態では、スペーサ３４は、これらには限定されないが、円形及び三角形のような任意の他の形状を有することができる。更に、スペーサ３４は、複数の長さを有することにより、ストラップ厚さ２２（図１に示す）に合わせた可変選択を容易にすることができる。更に、スペーサ３４の長さは、ハウジング２８をストラップ１４に当てるときにワイヤ１３に接触させ、そしてワイヤ１３を移動させる作業に合わせることができるサイズに設定される。工具１０を本明細書に記載の通りに機能させることができる任意のサイズ及び形状のスペーサ３４を使用することができる。
【００２２】
ハンドル３６は、ハウジング２８に接続されて、人間が工具１０を容易に操作して使用することができるようにする。ハンドル３６は、第１面部４０及び第２面部４２のうちの少なくとも一方に接続される少なくとも１つの表面９６を含む。例示的な実施形態では、表面９６は、略円筒形状を有し、これにより、工具１０をユーザの手で保持し易くしている。表面９６は、これに限定されないが、隆起形状のような他の形状を含むことができる。工具１０を本明細書に記載の通りに機能させることができる任意の形状のハンドル表面９６を使用することができる。ランヤードコネクタ３８は、ハウジング２８に、そして進退可能なランヤード（図示せず）に接続されて、ユーザが工具１０を、例えば工具１０をユーザの首（図示せず）の周りに装着するなどすることにより、そして／またはベルト（図示せず）に結び付けることなどすることにより、便利に身につけることができる。
【００２３】
図４は、タイラップストラップ１４に当てた工具１０の側面図を示している。例示的な実施形態では、ユーザ（図示せず）はハンドル３６を把持して、工具１０を片手操作で操作する。更に詳細には、使用状態では、ユーザはハンドル３６の表面９６をユーザの掌中に収めて把持する。別の状態では、ユーザは、ハンドル３６を別の工具（図示せず）で操作することができる。ユーザは工具１０を、タイラップ１２の周りを延びるストラップ１４に向かって移動させる。更に、ユーザはハウジング２８をタイラップ１２に押し当てる。１つの実施形態では、ユーザが工具１０をタイラップ１２に向かって移動させるとき、工具１０は、進退可能なランヤード（図示せず）に結び付いたままになっている。従って、ユーザが工具１０を落とすと、工具１０はランヤードに接続されたままになっている。ユーザが工具１０を移動させるとき、ユーザは溝５８をストラップ１４の周りに位置合わせして、溝５８の対向側壁群６０がストラップ１４の両側の側面１７及び１９に配置されるようにする。更に、位置合わせガイド３０は、ストラップ１４の表面２４に当たる。ユーザは、ハウジング２８を移動させる操作を、溝５８がストラップ１４の周りに配置され、かつ位置合わせガイド３０がストラップ１４に当たるまで継続する。例示的な実施形態では、位置合わせガイド３０はストラップ１４に、ストラップ１４の長手方向軸線２０に沿って当たる。更に、例示的な実施形態では、少なくとも１つの溝側壁６０はストラップ１４に、ストラップ１４の横方向軸線１８に沿った位置で当たる。
【００２４】
スペーサ３４は、ハウジング２８、位置合わせガイド３０、及びブレード３２を超えて延びるので、溝５８がストラップ１４の周りに配置されるとき、スペーサ端部９４がワイヤ１３に当たって、ワイヤ１３をストラップ１４から或る距離だけ離れた位置に移動させ易くなり、そしてワイヤ１３がストラップ１４から離れた状態を維持し易くなる。例示的な実施形態では、楔形のスペーサ３４は、個々のワイヤ１３の間に深く入り込んで、ポケットのような空間をワイヤ１３とストラップ１４との間に形成し易くしている。更に、位置合わせガイド３０及び溝５８がストラップ１４に当たると、切断面８４の露出部分８６がストラップ上面２４に当たる。次に、ユーザは、ハンドル３６を移動させ続けて、露出切断部分８６をストラップ上面２４に押圧配置する。１つの操作状態では、ユーザはハンドル３６を、ストラップ１４の周りを往復回転させて、露出切断部分８６をストラップ２４に押し当てる。別の操作状態では、ユーザはハンドル３６を、ストラップ１４を横切るように往復摺動させて、露出切断部分８６をストラップ２４に押し当てる。更に、切断部分８６が溝５８内に飛び出し、そしてスペーサ３４は、ワイヤ１３がストラップ１４から離れた状態を維持するので、スペーサ３４及び溝５８によって、切断部分８６がワイヤ１３に接触するのを最小限に抑える、または防止することが容易になる。
【００２５】
切断面８４でストラップ１４を切断するとき、位置合わせガイド３０、スペーサ３４、及び溝５８によって、切断面８４の位置合わせ、及び切断面８４の切り込み深さの制御が容易になる。更に詳細には、切断面８４は、切断面８４の露出部分８６を超えてストラップ１４内に入り込むのが阻止される。従って、少なくともスペーサ３４、溝５８、及び位置合わせガイド３０のサイズ、形状、及び向きによって、切断面８４の切り込み深さの制御が容易になるので、露出部分８６がワイヤ１３に接触するのを防止することができる。更に詳細には、スペーサ３４は、ワイヤ１３がストラップ１４から離れた状態を維持することにより、露出切断部分８６がワイヤ１３に接触するのを最小限に抑える、または防止することが容易になる。
【００２６】
ストラップ１４は、ワイヤ１３の周りに引っ張り状態で巻き付いているので、ストラップ１４を少なくとも部分的に、露出切断部分８６で切断することにより、ユーザはストラップ１４を容易に分断して、ワイヤ１３を解放することができる。更に詳細には、多くの場合、ストラップ１４に生じる引っ張り力によってストラップ１４は、露出切断部分８６でストラップ１４を少なくとも部分的に切断すると分断される。更に、露出切断部分８６から切断力が、溝５８内に位置するストラップ１４に加わって、ストラップ１４を切断するために必要な力を容易に小さくすることができる。操作中、工具１０は、触覚フィードバックをユーザに容易に提示することができ、そして領域に届くことが難しい、または領域を見るのが難しい状況における片手操作を可能にする。更に、スペーサ３４は、ハウジング１２８を超えて延びるので、露出切断部分８６が溝５８内に奥まって位置することにより、ユーザが露出切断部分に接触するのを最小限に抑える、または防止することが容易になって、ユーザが怪我をするのが防止される。
【００２７】
図５は、タイラップ１２を切断するために使用することができる別の切断工具９８の斜視図を示している。更に、図５では、同じ参照番号を示して、これまでに説明した同一の構成要素を指すようにしている。工具９８は、ハウジング１００と、ブレード１０２と、スペーサ１０４と、そしてハンドル１０６と、を含む。図５では、簡潔性を期して、ハウジング１００の一部は削除されている。
【００２８】
ハウジング１００は、ハンドル１０６を位置決めして切断作業が可能な状態でブレード１０２を収容する。ハウジング１００は、第１面部１０８及び第２面部１１０を含む。第１面部１０８及び第２面部１１０はそれぞれ、第１面部１０８及び第２面部１１０を容易に結合合体させるサイズ及び形状に形成されるフランジ１１２を含む。結合合体させると、第１面部１０８及び第２面部１１０は、ブレード１０２を少なくとも部分的に収容するサイズの内部空洞１１４を画定する。更に、例示的な実施形態では、内部空洞１１４は、タイラップ１２の固定機構１６をハウジング１００内に受け入れるサイズ及び形状に形成される。
【００２９】
例示的な実施形態では、ハウジング１００は、第１面部１０８及び第２面部１１０の内部に形成される少なくとも１つの溝１１６を含み、溝１１６は、内部空洞１１４と流体連通する。タイラップストラップ１４に対する工具９８の位置決めを容易にするために、溝１１６は、ハウジング１００をストラップ１４の周りに位置合わせして、本明細書に記載される切断作業を容易にするように構成される。
【００３０】
ブレード１０２は、第１面部１０８または第２面部１１０のいずれかに接続されるブレードアクスル５６に接続されて、タイラップ１２の少なくとも一部を本明細書に記載の通りに少なくとも部分的に切断することができる。ブレード１０２は、内側取り付け面１２０及び外側切断面１２２を含み、内側取り付け面８２はブレードアクスル５６に接続される。図５に示すように、外側切断面１２２の一部１２３は、溝１１６の内部に突出している。
【００３１】
スペーサ１０４は、ハウジング１００に接続されて、ワイヤ１３をブレード３２で傷付けることがないようにワイヤ１３を容易に保護する。更に詳細には、スペーサ１０４は、ワイヤ１３をブレード１０２から離れる方向に移動させ、そして切断操作中に、ワイヤ１３がブレード１０２から離れた状態を維持する。例示的な実施形態では、スペーサ１０４は、ハウジング１００に接続され、そしてハウジング１００から外側に延びる。例示的な実施形態では、スペーサ１０４は、切断面１２２の露出部分１２３を超えて延びる。スペーサ１０４は、ワイヤ１３に当たり、そしてワイヤ１３が切断面１２２から距離を置いて位置する状態を、本明細書に記載される切断作業中に維持するサイズ及び形状に形成される。
【００３２】
例示的な実施形態では、ユーザ（図示せず）はハンドル１０６を把持して、工具９８を操作することにより、ストラップ１４を、固定機構１６に隣接して、そして／または固定機構１６の周りで容易に切断することができる。更に詳細には、使用状態では、ユーザは工具９８を、タイラップ１２の固定機構１６に向かって移動させる。ユーザが工具９８を移動させるとき、ユーザは溝１１６を、固定機構１６の周りに、そしてストラップ１４の周りに位置合わせする。ユーザは、固定機構１６が空洞１１４内に位置するようになるまで、工具９８を移動させ続けてストラップ１４の周りに位置決めする。
【００３３】
スペーサ１０４は、ハウジング１００を超えて突出しているので、溝１１６がストラップ１４の周りに位置決めされるとき、スペーサ１０４がワイヤ１３に当たって、ワイヤ１３をストラップ１４から離れる方向に容易に移動させ、そしてワイヤ１３がストラップ１４から離れた状態を容易に維持することができる。更に、溝１１６がストラップ１４に当たると、切断面１２２の露出部分１２３がストラップ１４に当たる。次に、ユーザはハンドル１０６を移動させて、ブレード切断面１２２をストラップ１４に押圧配置する。１つの操作状態では、ユーザはハンドル１０６を、ストラップ１４の周りを往復摺動させて、切断面１２２をストラップ１４に押し当てる。
【００３４】
切断面１２２でストラップ１４を切断するとき、少なくともスペーサ３４、溝１１６、及び空洞１１４で、ストラップ１４内に入り込む切断面１２２の深さを制御する。従って、少なくともスペーサ３４、溝１１６、及び空洞１１４のサイズ、形状、及び向きによって、ストラップ１４内に入り込む切断面１２２の深さを容易に制御することができる。更に詳細には、深さ制御が、少なくともスペーサ３４、溝１１６、及び空洞１１４によって可能になることにより、切断面１２２が、ストラップ１４の厚さ全部をうっかり切断し、そしてワイヤ１３に接触するのを容易に防止することができる。
【００３５】
図６は、工具１０に用いることができる別のハンドル１２４の斜視図を示している。更に、図６では、同じ参照番号を使用して、既に説明した同一の構成要素群を指すようにしている。ハンドル１２４は、ハウジング２８に接続されて、工具１０のハンドリング及び操作を容易にする。例示的な実施形態では、ハンドル１２４は、フランジ１２６と、ベース１２８と、そしてファスナー１３０と、を含む。
【００３６】
フランジ１２６は、第１面１３６及び第２面１３８を含む。第１面１３６はハウジング２８に接続され、そして第２面１３８はベース１２８に接続される。例示的な実施形態では、フランジ１２６は、円弧形状を有するので、ユーザによる使い勝手が良くてハンドリングを容易にする。フランジ１２６は、工具１０の操作を本明細書に記載の通りに可能にする任意の形状を有することができる。ファスナー１３０は、ベース１２８に、かつフランジ１２６に接続され、そしてベース１２８とフランジ１２６との間を延在する。例示的な実施形態では、ファスナー１３０は、引っ張り力を受けて、ベース１２８とフランジ１２６との間で伸びる伸縮性ストラップ である。親指のようなユーザの指（図示せず）をファスナー１３０に嵌め込んで、工具１０のハンドリングを容易にすることができる。
【００３７】
例示的な実施形態では、ユーザは親指（図示せず）をファスナー１３０の下に、かつベース１２８とフランジ１２６との間に進出させる。力がファスナー１３０を介して指に加わると、ユーザは工具１０をユーザの指に載せて、切断作業中に、そして非切断作業中に持ち運ぶことができる。例示的な切断作業中に、ユーザはフランジ１２６をユーザの他の指または手のひらで掴んで、ハウジング２８を更に操作することもできる。一旦、ユーザがハンドル１２４を掴むと、ユーザはハンドルを選択的に位置決めして、工具１０をストラップ（図示せず）に位置合わせし、そしてストラップを、前に説明したように片手操作で、少なくとも部分的に切断することができる。
【００３８】
図７は、工具１０に用いることができる別のハンドル１４０の斜視図を示している。更に、図７では、同じ参照番号を使用して、既に説明した同一の構成要素群を指すようにしている。ハンドル１４０は、フランジ１２６に接続されるアーム１４２を含み、この場合、アーム１４２は、切断操作中のユーザに対するてこ支持体となるように構成される。更に、アーム１４２は、工具１０の片手操作を容易にするように構成される。例示的な実施形態では、アーム１４２は丸み端部１４４を含み、丸み端部１４４は、ユーザによる使い勝手が良くてハンドリングを容易にするように構成される。端部１４４は、工具１０の操作を本明細書に記載の通りに可能にする任意の形状を有することができる。例示的な実施形態では、前に説明したように、ユーザは指（図示せず）をファスナー１３０の下に、かつフランジ１２６とベース１２８との間に進出させる。次に、ユーザはアーム１４２をユーザの指で掴む。ユーザがブレード３２による切断動作を行なうとき、アーム１４２によって片手操作を最大限に行なうことができる。ハンドル１４０は制御を、ユーザがハンドル１４０を、ユーザの小指及び薬指で掴むことができることにより容易にする。他の指を使用して、束状ワイヤ１３（図１に示す）の周りに巻き付け、そしてストラップ１４を引っ張ってブレード３２に触れさせることにより、ストラップ１４（図１に示す）を容易に切断することができる。
【００３９】
図８は、工具１０に用いることができる開き位置１４５にある別のハンドル１４６の斜視図を示している。図９は、閉じ位置１４７にある別のハンドル１４６（図８に示す）の斜視図を示している。更に、図８及び９では、同じ参照番号を使用して、既に説明した同一の構成要素群を指すようにしている。工具１０は、第１工具１４８及び第２工具１５０を含む。例示的な実施形態では、第１工具１４８及び第２工具１５０は、ハンドル１４６に取り外し可能に接続される。更に、例示的な実施形態では、第１工具１４８及び第２工具１５０は、ハンドル１４６に回動可能に接続される。第１工具１４８は、第２工具１５０と比べた場合に、より小さいハウジング２８及びブレード３２を含む。工具１４８及び工具１５０を異なるサイズとすることにより、異なるサイズのストラップ１４（図１に示す）を切断する際の効率を最大限に高めることができる。更に、工具１４８及び工具１５０を異なるサイズとすることにより、届くのが難しい、または領域を見ることが難しいストラップ１４を容易に切断することができる。
【００４０】
ハンドル１４６は、第１端部１５２と、第２端部１５４と、そして第１端部１５２と第２端部１５４との間を延在するアーム１５６と、を含む。第１端部１５２は、第１工具１４８に接続される第１回動部分１５８を含む。１つの実施形態では、第１回動部分１５８は、第１工具１４８に回動可能に接続されるように構成される。第１端部１５２は更に、当該第１端部に形成される第１溝１６０を含む。第１溝１６０は、第１工具１４８が図９に示すように回動して閉じ位置１４７になると、第１工具１４８を少なくとも部分的に収容するようなサイズ及び形状に形成される。例示的な実施形態では、第１工具１４８は、第１端部１５２に取り外し可能に接続される。第２端部１５４は、第２工具１５０に接続されるように構成される第２回動部分１６２を含む。１つの実施形態では、第２回動部分１６２は、第２工具１５０に回動可能に接続されるように構成される。第２端部１５４は更に、当該第２端部に形成される第２溝１６４を含む。第２溝１６４は、第２工具１５０が図９に示すように回動して閉じ位置１４７になると、第２工具１５０を少なくとも部分的に収容するようなサイズ及び形状に形成される。例示的な実施形態では、第２工具１５０は、第２端部１５４に取り外し可能に接続される。更に、１つの実施形態では、第１工具１４８及び第２工具１５０は、第１端部１５２または第２端部１５４のいずれかに取り外し可能に接続される。
【００４１】
図１０は、切断工具１０（図１に示す）及び切断工具９８（図５に示す）に用いることができる別のハンドル１４６（図８及び９に示す）の斜視図を示し、工具１０及び工具９８がハンドル１４６から分解された状態が図示されている。更に、図１０では、同じ参照番号を使用して、既に説明した同一の構成要素群を指すようにしている。図示のように、第１端部１５２は、切断工具１０に取り外し可能に接続され、そして第２端部１５４は、切断工具９８に取り外し可能に接続される。第１端部１５２及び第２端部１５４は、複数の工具１０及び９８に対して選択的に入れ替え可能となっていることにより、異なるサイズのストラップ（図示せず）に対する切断作業を容易にしている。
【００４２】
図１１は、タイラップ１２を切断するために使用することができる別の切断工具１６８を示している。図１２は、ハンドル１４６に接続される切断工具１６８を示している。図１３は、ストラップ１４に当てた状態の工具１６８及びハンドル１４６を示している。更に、図１１，１２，及び１３では、同じ参照番号で指示して、既に説明した同一の構成要素群を含めるようにしている。
【００４３】
工具１６８は、前に説明したように、少なくともハウジング２８と、ブレード３２と、スペーサ３４と、ハンドル３６と、そして溝５８と、を含む。例示的な実施形態では、ハウジング２８の少なくとも１つの溝５８は、空洞（図示せず）と流体連通する第１溝１７０及び第２溝１７２を含む。図示のように、ブレード３２の切断面８４は、第１溝１７０及び第２溝１７２の内部に延びる。第１溝１７０は、対向側壁群１７４及び側壁群１７４の間を延在する端部壁１７６により画定される。第２溝１７２は、対向側壁群１７８及び側壁群１７８の間を延在する端部壁１８０により画定される。第１端部壁１７６は、第２端部壁１８０の長さＬ２よりも長い長さＬ１を有する。第１溝１７０及び第２溝１７２は、異なるサイズのストラップ１４の切断に対応することができるサイズ及び形状に形成される。更に詳細には、第１溝１７０及び第２溝１７２は、選択的に入れ替え可能となるように異なるサイズに形成されて、ユーザ（図示せず）が、異なるサイズのストラップ１４を、工具１６８を１つだけ使用することにより少なくとも部分的に切断することができるようにしている。更に、第１溝１７０及び第２溝１７２は、領域に届くことが難しい、または領域を見るのが難しい状態のタイストラップ１４に容易に接近することができる異なるサイズを有する。
【００４４】
例示的な実施形態では、工具１０は、ハンドル１４６に回動可能に接続されて、少なくとも第１溝１７０及び第２溝１７２をストラップ１４の周りで移動させ、そしてストラップ１４の周りに位置合わせする作業を容易にする。ハンドル３６は、これに限定されないが、ハンドル１４６（図１２に示す）のような別のハンドルに取り外し可能に接続されるサイズ及び形状に形成される端部１８２を含む。第１溝１７０及び第２溝１７２は、切断面８４をタイラップストラップ１４に向かって容易に露出させるように形成される。使用状態では、第１溝１７０及び第２溝１７２は、タイラップストラップ１４に当てて、切断面８４を容易に位置合わせしてタイラップストラップ１４に食い込ませることができる。
【００４５】
例示的な実施形態では、端部１８２は、ハンドル１４６に回動可能に接続されるサイズ及び形状に形成される。図１２に示すように、工具１６８は、ハンドル１４６に接続される少なくとも第１工具１８４及び第２工具１８６を含む。第１工具１８４は、第２工具１８６と比較して、より大きいハウジング２８及びブレード３２を含む。工具１８４及び工具１８６を異なるサイズとすることにより、異なるサイズのストラップを切断する際の効率を最大限に高くすることができ、そして届くことが難しい、または見るのが難しい領域に接近する際の効率を最大限に高くすることができる。
【００４６】
例示的な実施形態では、ハンドル１４６の回動部分１５８及び溝１６０は、前に説明したように、選択的適応を可能にしてユーザ（図示せず）が、第１工具１８４または第２工具１８６を選択し、そして選択した第１工具１８４または第２工具１８６を溝１６０から回動可能に移動させて、タイラップストラップ１４を切断するように構成される。更に、第１工具１８４及び第２工具１８６は、ハンドル１４６に取り出し可能に接続されて、選択的適応を可能にすることによりユーザが、工具１８４及び１８６のいずれかをハンドル１４６から取り出して、届くことが難しい、または見るのが難しい領域に使用されるように構成される。図示のように、ハンドル１４６は、指当て切欠き部１８８を含み、この指当て切欠き部１８８は、ユーザへの接近を行なって、少なくとも第１工具１８４及び第２工具１８６を溝１６０から回動可能に容易に移動させることができるように構成される。
【００４７】
図１４は、少なくとも１本のワイヤ、例えばワイヤ１３（図１に示す）の周りに縛り付けたファスナー（例えば、図１に示すタイラップ１２）を切断するために使用される工具、例えば工具１０（図１に示す）を操作する例示的な方法２００を示すフローチャートである。方法２００は、工具のハウジング２８（図１及び２に示す）のようなハウジングをタイラップに押し当てる工程２１０を含む。当該方法は更に、タイラップの一部をハウジングの溝、例えば溝５８（図２に示す）の内部に配置する工程２２０を含む。スペーサ３４（図１及び２に示す）のようなスペーサで、少なくとも１本のワイヤを移動させ（工程２３０）、そして少なくとも１本のワイヤをタイラップから或る距離を置いて保持する。方法２００は更に、工具のブレード３２（図１及び２に示す）のようなブレードを移動させて、当該溝の内部に配置される当該タイラップの一部に押し当てる工程２４０を含む。方法は更に、当該タイラップを当該ブレードで少なくとも部分的に切断する工程２５０を含む。
【００４８】
本明細書において記載される主題は概して、切断工具に関するものであり、特にタイラップを切断して、ファスナー（例えば、タイラップ）で縛り付けた物体（例えば、ワイヤ）を解放するために使用される切断工具に関するものである。当該工具は、ブレードを容易に位置合わせして切断作業中のタイラップへのブレードの切り込み深さを制御するように選択的に配置することができる溝及びガイド部材を含む。当該工具は更に、うっかりブレードが、タイラップで縛り付けたワイヤに接触するのを防止するスペーサを含む。従って、本明細書において記載される工具を使用することにより、タイラップを、ワイヤを傷付けることなく、かつユーザに怪我を負わせることなく切断する際の信頼性及び／又は効率を容易に高めることができる。
【００４９】
本開示の１つの態様は、少なくとも１本のワイヤ１３の周りに縛り付けたタイラップ１２を切断するために使用される工具１０，９８，１４８，１５０，１６８に関するものである。工具１０，９８，１４８，１５０，１６８は、第１面部４０及び第２面部４２を有するハウジング２８を含む。ハウジング２８の第１面部４０及び第２面部４２は互いに接続されて空洞５４を画定する。ハウジング２８は更に、ハウジング２８の第１面部４０及び第２面部４２に形成される溝５８を含む。溝５８は空洞５４と流体連通する。工具１０，９８，１４８，１５０，１６８は更に、ハウジング２８の第１面部４０に接続され、かつ空洞５４内に配置されるブレード３２を含む。ブレード３２は、溝５８の内部に部分的に延びる切断面８４を有する。工具１０，９８，１４８，１５０，１６８は更に、ハウジング２８に接続されるスペーサ３４を含み、このスペーサ３４は、ハウジング２８をタイラップ１２に押し当てるときに、少なくとも１本のワイヤ１３をブレード３２の切断面８４から或る距離を置いて保持するように構成される。
【００５０】
１つの例では、工具１０，９８，１４８，１５０，１６８は更に、ハウジング２８に接続され、かつ溝５８から軸線方向外側に延びる位置合わせガイド３０を含む。
【００５１】
１つの変形例では、工具１０，９８，１４８，１５０，１６８は更に、ハウジング２８に、かつ空洞５４の内部に接続される位置合わせガイド３０を含む。
【００５２】
１つの別の構成では、工具１０，９８，１４８，１５０，１６８は更に、ハウジング２８に接続されるハンドル３６を含む。
【００５３】
工具１０，９８，１４８，１５０，１６８の別の例では、ハンドル１２４，１３０は伸縮性ストラップ １３０を含む。
【００５４】
別の変形例では、工具１０，９８，１４８，１５０，１６８は更に、ハウジング２８に取り外し可能に接続されるハンドル１４６を含む。
【００５５】
工具１６８の別の構成では、溝は、第１溝１７０及び第２溝１７２を含み、そして切断面８４は、第１溝１７０の内部に、かつ第２溝１７２の内部に部分的に延びる。
【００５６】
工具１０，９８，１４８，１５０，１６８の更に別の例では、第１溝１７０は第１長さを有し、第２溝１７２は第２長さを有し、そして第１長さは前記第２長さよりも長い。
【００５７】
工具１０，９８，１４８，１５０，１６８の更に別の変形例では、スペーサ３４はハウジング２８に接続され、そしてハウジング２８から半径方向外側に延びる。
【００５８】
工具１０，９８，１４８，１５０，１６８の更に別の構成では、スペーサ３４は楔形に形成される。
【００５９】
本開示の別の態様は、少なくとも１本のワイヤの周りに縛り付けたタイラップ１２を切断するために使用される工具１０，９８，１４８，１５０，１６８に関するものである。工具１０，９８，１４８，１５０，１６８は、第１面部４０及び第２面部４２を有するハウジング２８を含む。ハウジング２８の第１面部４０及び前記第２面部４２は互いに接続されて空洞５４を画定する。ハウジング２８は更に、ハウジングの第１面部４０及び前記第２面部４２に形成され、かつ空洞５４と流体連通する第１溝１７０及び第２溝１７２を含む。工具１０，９８，１４８，１５０，１６８は更に、ハウジング２８の第１面部４０に接続され、かつ空洞５４の内部に配置されるブレード３２を含む。ブレード３２は、前記第１溝１７０の内部に、かつ前記第２溝１７２の内部に部分的に延びる切断面８４を含む。工具１０，９８，１４８，１５０，１６８は更に、ハウジング２８に接続されるスペーサ３４を含む。当該スペーサ３４は、ハウジング２８をタイラップ１２に押し当てるときに、少なくとも１本のワイヤ１３を切断面８４から離れた状態を保持するように構成される。
【００６０】
工具１０，９８，１４８，１５０，１６８の１つの例では、第１溝１７０及び第２溝１７２は、切断面８４をタイラップ１２に対して容易に露出させるように構成される。
【００６１】
工具１０，９８，１４８，１５０，１６８の１つの変形例では、ブレード３２は第１面部４０に回転可能に接続される。
【００６２】
工具１０，９８，１４８，１５０，１６８の１つの別の構成では、スペーサ３４はハウジング２８に接続され、そしてハウジング２８から半径方向外側に延びる。
【００６３】
工具１０，９８，１４８，１５０，１６８の別の例では、スペーサ３４は切断面８４を超えて延びる。
【００６４】
工具１０，９８，１４８，１５０，１６８の別の変形例では、スペーサ３４は楔形に形成される。
【００６５】
工具１０，９８，１４８，１５０，１６８の更に別の構成では、スペーサ３４は第１スペーサ部分８８及び第２スペーサ部分９０を含み、そして第１溝１７０及び第２溝１７２のうちの少なくとも一方は、スペーサ３４の第１スペーサ部分８８と第２スペーサ部分９０との間に配置される。
【００６６】
本開示の更に別の態様は、少なくとも１本のワイヤ１３の周りに縛り付けたタイラップ１２を切断する切断工具１０，９８，１４８，１５０，１６８を操作する方法に関するものである。当該方法は、工具１０，９８，１４８，１５０，１６８のハウジング２８をタイラップ１２に押し当てる工程と；タイラップ１２の１つの構成部分をハウジング２８の溝５８の内部に配置する工程と；少なくとも１本のワイヤ１３を移動させ、そして少なくとも１本のワイヤ１３をタイラップ１２から或る距離を置いて保持する工程と；工具１０，９８，１４８，１５０，１６８のブレード３２を移動させて、溝５８の内部に配置されるタイラップ１２の当該構成部分に押し当てる工程と；そしてタイラップ１２をブレード３２で少なくとも部分的に切断する工程と、を含む。
【００６７】
１つの例では、当該方法は更に、タイラップ１２へのブレードの切り込み深さを、ブレード３２でタイラップ１２を少なくとも部分的に切断しながら制御する工程を含む。
【００６８】
当該方法の１つの変形例では、工具１０，９８，１４８，１５０，１６８のブレード３２を移動させて、溝５８の内部に配置されるタイラップ１２の当該構成部分に押し当てる工程は、ブレード３２をタイラップ１２の当該構成部分に押し当てて回転させる工程を含む。
【００６９】
上の“ｅｘａｍｐｌｅ”，“ｖａｒｉａｎｔ”，及び“ａｌｔｅｒｎａｔｉｖｅ”という用語は、同じ意味に使用される。
【００７０】
切断工具を使用するシステム及び方法の例示的な実施形態が、上に詳細に説明されている。これらのシステム及び方法は、本明細書において記載される特定の実施形態に限定されるのではなく、システムの構成要素群、及び／又は方法の工程群は、本明細書において記載される他の構成要素群、及び／又は工程群とは独立して、かつ個別に利用することができる。開示される寸法範囲は、これらの範囲に含まれる全ての小範囲を含む。更に、工具は、工具を本明細書に記載の通りに機能させることができる任意の材料により形成することができる。各構成要素及び各方法工程は、他の構成要素群、及び／又は方法工程群と組み合わせて用いることもできる。種々の実施形態の特定の特徴は、他の図面ではなく、幾つかの図面に図示されるが、これは便宜上に過ぎない。１つの図面の任意の特徴は、任意の他の図面の任意の特徴と組み合わせて参照することができ、そして/または特許請求することができる。
【００７１】
この記載の説明では、種々の例を用いて、最良の形態を含む本発明を開示し、そして更に、この技術分野の当業者であれば誰でも、本発明を実施することができ、例えば任意のデバイスまたはシステムを作製し、そして使用し、更には、組み込まれる任意の方法を実行することができる。本発明の特許可能な範囲は、請求項により規定され、そしてこの技術分野の当業者が想到することができる他の例を含むことができる。このような他の例は、これらの請求項の範囲に、これらの例が、これらの請求項の文言と異ならない構造的要素を有する場合に、またはこれらの例が、これらの請求項の文言とは殆ど異ならない等価な構造的要素を含む場合に包含されるべきである。
【図１】
0005805886.tif 000002
【図２】
0005805886.tif 000003
【図３】
0005805886.tif 000004
【図４】
0005805886.tif 000005
【図５】
0005805886.tif 000006
【図６】
0005805886.tif 000007
【図７】
0005805886.tif 000008
【図８】
0005805886.tif 000009
【図９】
0005805886.tif 000010
【図１０】
0005805886.tif 000011
【図１１】
0005805886.tif 000012
【図１２】
0005805886.tif 000013
【図１３】
0005805886.tif 000014
【図１４】
0005805886.tif 000015